(57)【要約】【課題】１つの風呂循環回路に複数の浴槽を接続したもので、一方の浴槽の残湯が他方の浴槽に混入するのを確実に防止した風呂装置を提供する。【解決手段】第１浴槽１８と第２浴槽１９を１つの風呂循環回路１７及び湯張り回路１１に接続し、それぞれの浴槽１８、１９への追い焚き運転及び湯張り運転は制御回路３０により経路を切替て行うようにしたもので、前記一方の浴槽１８（１９）の追い焚き運転を制御回路３０が記憶し他方の浴槽１９（１８）の運転時には、運転に先立って風呂循環回路１７を給水或いは温水でパージするようにしたので、風呂循環回路１７には一方の浴槽１８（１９）の残湯はなくなり、他方の浴槽１９（１８）が追い焚き、保温、湯張り、差し湯、足し湯、足し水等の運転を行っても、一方の浴槽１８（１９）の湯水が混入する心配がなく、常に快適で使用勝手の良い風呂装置を提供出来るものである。【選択図】  図３
2010286170.tif 000002
【特許請求の範囲】
【請求項１】
第１浴槽と第２浴槽を１つの風呂循環回路及び湯張り回路に接続し、それぞれの浴槽への追い焚き運転及び湯張り運転は制御回路により経路を切替て行うようにしたものに於いて、前記一方の浴槽の追い焚き運転を制御回路が記憶し他方の浴槽の運転時には、運転に先立って風呂循環回路を給水或いは温水でパージするようにした事を特徴とする風呂装置。
【請求項２】
前記給水或いは温水によるパージは、他方の浴槽の運転選択に応じて、使用される経路のみ行うようにした事を特徴とする請求項１記載の風呂装置。
【発明の詳細な説明】
【技術分野】
【０００１】
この発明は、２つの浴槽を１つの風呂循環回路に選択的に接続することで、各浴槽毎に追い焚きや湯張りが行えるようにした風呂装置に関するものである。
【背景技術】
【０００２】
従来よりこの種のものでは、２つの浴槽にそれぞれ電磁弁を備えた湯張り管や風呂循環回路の戻り管、往き管が接続されることで、湯張り時には２つの湯張り管の一方の電磁弁開、他方の電磁弁閉として一方の浴槽の湯張りが行われ、他方の浴槽の湯張りではこの逆を行なって湯張りされるものであり、又追い焚き時でも、戻り管と往き管の一方の電磁弁開、他方の電磁弁閉として、一方の浴槽の追い焚きが行われるもので、更にこの逆の電磁弁を開成すれば、他方の浴槽の追い焚きが行われ、１つの風呂循環回路を利用して２つの浴槽の湯張りや追い焚きが良好に行われるものであった。
【先行技術文献】
【特許文献】
【０００３】
【特許文献１】特開平７−３２４８０８号公報
【発明の概要】
【発明が解決しようとする課題】
【０００４】
ところでこの従来のものでは、二世帯住宅で使用した場合でも使用する年代や人により、又集合住宅で使用する場合には、全くの赤の他人であり風呂の使用形態も色々であり、例えば、一方の浴槽に入浴剤を入れて使用した場合、追い焚きすることで、風呂循環回路にこの入浴剤入りの浴槽水が残り、次に他方の浴槽の追い焚きをすると、この残った入浴剤入りの浴槽水が他方の入浴剤を入れてない浴槽内に入り込むこととなり、他方の浴槽の使用者が違和感を持つものであり、更に人によっては、経済性から浴槽の湯を何日も換えない人もおり、このお湯が何も関係ない人の浴槽へと入り込むと言うこともあり、生理的に受け付けない人もいて、その使用には大きな問題点を有するものであった。
【課題を解決するための手段】
【０００５】
この発明はこの点に着目し上記欠点を解決する為、請求項１では、特にその構成を、第１浴槽と第２浴槽を１つの風呂循環回路及び湯張り回路に接続し、それぞれの浴槽への追い焚き運転及び湯張り運転は制御回路により経路を切替て行うようにしたものに於いて、前記一方の浴槽の追い焚き運転を制御回路が記憶し他方の浴槽の運転時には、運転に先立って風呂循環回路を給水或いは温水でパージするようにしたものである。
【０００６】
又請求項２では、前記給水或いは温水によるパージは、他方の浴槽の運転選択に応じて、使用される経路のみ行うようにしたものである。
【発明の効果】
【０００７】
以上のように請求項１の発明によれば、一方の浴槽の追い焚き運転後、他方の浴槽の運転指示が入った場合は、先ず風呂循環回路内の残湯を給水或いは温水で、一方の浴槽へ戻すようにパージすることで、風呂循環回路には一方の浴槽の残湯はなくなり、他方の浴槽が追い焚き、保温、湯張り、差し湯、足し湯、足し水等の運転を行っても、一方の浴槽の湯水が混入する心配がなく、複数の浴槽で１つの風呂循環回路を共用して、回路の簡素化と経済性を追求したちしても、機能性が低下したり衛生的な問題が発生することもなく、常に快適で使用勝手の良い風呂装置を提供出来るものである。
【０００８】
又請求項２によれば、一方の浴槽の追い焚き運転後のパージ経路を、他方の浴槽が次にどの運転を行うかによって選択して行うようにしたもので、即ち、他方の浴槽が追い焚き運転するのであれば、風呂循環回路をパージし、湯張り運転をするのであれば、この湯張り経路を、足し湯、足し水であれば、同じく湯張り経路をパージするので、パージ時間が短くなったり、パージに使用する給水或いは温水の節約にもなり、しかも一方の浴槽に戻される給水或いは温水も少ない時もあり、違和感を最小限に抑えられるなど、極めて経済的で使用勝手が良いものである。
【図面の簡単な説明】
【０００９】
【図１】この発明の一実施形態を示す風呂装置の概略説明図。
【図２】同要部電気回路のブロック図。
【図３】同第２浴槽の湯張り運転のフローチャート。
【図４】同第１浴槽の追い焚き運転のフローチャート。
【図５】同第２浴槽の足し湯運転のフローチャート。
【図６】同第１浴槽の足し水運転のフローチャート。
【発明を実施するための形態】
【００１０】
次にこの発明の風呂装置を内蔵した貯湯式給湯装置の一実施形態を図示したものに基づいて説明する。
１は円筒状の貯湯タンクで、二酸化炭素冷媒を用いたヒーポンユニットから成る加熱手段２を利用し、時間帯別契約電力の電力単価が安価な深夜時間帯に湯水を沸き上げて貯湯するものであり、下部には給水を補給する給水管３が接続し、上部には貯湯した高温水を給湯栓等に出湯する出湯管４が接続されている。
【００１１】
５は一方に出湯管４を、他方には給水管３から分岐した第１給水バイパス管６を、中央には給湯管７が接続したＳＡＭ方式（形状記憶合金内蔵方式）の電動三方弁から成る給湯混合弁で、出湯管４からの高温水と第１給水バイパス管６からの給水とを混合して、給湯設定温度の給湯を行うものである。
【００１２】
８は一方には出湯管４から分岐した風呂出湯管９を接続し、他方には第１給水バイパス管６から分岐した第２給水バイパス管１０を、中央には湯張り回路１１を接続した電動三方弁から成る風呂混合弁で、風呂出湯管９からの高温水と第２給水バイパス管１０からの給水とを混合して、設定された所定温度となるようにして所定量の湯張りを行うものである。
【００１３】
１２は湯張り回路１１に備えられ湯張りされる流量をカウントする湯張り流量カウンタで、下流に備えられた湯張り電磁弁１３の開成でカウントを開始するものであり、又この湯張り回路１１の更に下流には、湯張り方向の流通は許容するが逆の流通を阻止する２つの逆止弁１４、１５が設けられ、この２つの逆止弁１４、１５の間と、風呂混合弁８と湯張り流量カウンタ１２との間に連通し排水弁１６を有した排水管が備えられている。
【００１４】
１７は第１浴槽１８及び第２浴槽１９と貯湯タンク１内上部に備えられた風呂熱交換器２０とを戻り管２１と往き管２２とで結んだ風呂循環回路で、湯張り回路１１が連通した戻り管２１の位置には、湯張りの湯温と浴槽水の湯温の両方を兼用して検知する風呂サーミスタ２３が備えられており、更に戻り管２１には風呂循環ポンプ２４や水位センサ２５が設けられ、前記第１浴槽１８及び第２浴槽１９は、戻り管２１を中央に接続し、一方を第１浴槽１８に他方を第２浴槽１９に接続して、戻り管２１との接続を第１浴槽１８と第２浴槽１９に切替る戻り三方弁２６と、往き管２２を中央に接続し、一方を第１浴槽１８に他方を第２浴槽１９に接続して、往き管２２との接続を第１浴槽１８と第２浴槽１９に切替る往き三方弁２７とを介して風呂循環回路１７に接続されている。
【００１５】
２８は風呂循環回路１７途中で風呂熱交換器２０をバイパスするバイパス路で、戻り管２１に設けたバイパス三方弁２９の中央に接続し、一方は風呂熱交換器２０に向かう戻り管２１が接続し、他方には湯張り回路１１が連通する戻り管２１が接続しており、追い焚き停止中に風呂熱交換器２０内の残湯が貯湯タンク１内上部の高温水で加熱され、この温度上昇した残湯が追い焚きの開始で第１浴槽１８或いは第２浴槽１９に放出して、火傷する危険を防止するために、風呂熱交換器２０がら流出する残湯にバイパス路２８から加熱されていない戻り管２１の浴槽水を混入して温度を下げるようにしたもので、バイパス路２８と往き管２２の合流部にはこの混合水の湯温を検知して火傷しない温度になるようにバイパス三方弁２９による混合量を制御するものである。
【００１６】
３０は各部を制御するマイコンからなる制御回路で、第１浴槽１８用に備えられた第１リモコン３１と、第２浴槽１９用に備えられた第２リモコン３２が接続され、各リモコン３１、３２による運転選択で、追い焚き、保温、湯張り、差し湯、足し湯、足し水等の運転を、第１リモコン３１の操作の場合には、戻り三方弁２６及び往き三方弁２７を第１浴槽１８が風呂循環回路１７と連通状態となるように切替るもので、又第２リモコン３２の操作の場合には、戻り三方弁２６及び往き三方弁２７を第１浴槽１８が風呂循環回路１７と連通状態となるように切替るものである。
【００１７】
前記制御回路３０は、各リモコン３１、３２の運転選択により直近で使用された一方の浴槽が第１浴槽１８か第２浴槽１９かを記憶して置き、更に何が運転選択されたかを記憶し、この運転選択が追い焚き、保温、湯張りで追い焚き運転が行われるものの場合で、そして同じく各リモコン３１、３２の運転選択により次に使用される浴槽が別の他方の浴槽の場合には、運転を開始する前に、風呂循環回路１７及びバイパス路２８を給水でパージするもので、即ち、風呂混合弁８を第２給水バイパス管１０側１００％開口状態とし、湯張り電磁弁１３を開成すると湯張り回路１１を介して風呂循環回路１７に給水が流入し、該風呂循環回路１７内に残っている前に使用された一方の浴槽の浴槽水を、その浴槽に戻し風呂循環回路１７を新鮮な給水で満たした後に、他方の浴槽の運転を開始させるので、共有の風呂循環回路１７使用時の違和感を一掃して使用勝手を良くしたものである。
【００１８】
又この給水によるパージは、戻り三方弁２６から往き三方弁２７までの風呂循環回路１７までで良く、戻り三方弁２６及び往き三方弁２７は各浴槽１８、１９の使用毎に切替られるので、ここから各浴槽１８、１９までの配管には浴槽水が残っていても混入する心配はないもので、更に前記戻り三方弁２６から往き三方弁２７までの風呂循環回路１７は筐体で覆われたタンクユニット３３内に収納されており、その配管長さは設置場所が変わっても変わることがなく一定で、ここのパージ用の給水量は２Ｌ〜３Ｌと少量で済み、給水のパージで元の浴槽に浴槽水が戻されても、浴槽水位は大きく上昇せず入浴者があっても違和感を感じることはないものであり、又前記のようにパージ用の給水量は決まっているので、湯張り回路１１の流量カウンタ１２でパージの給水流量をカウントして、所定量カウントすることで、風呂混合弁８及び湯張り電磁弁１３を閉成して自動的に給水のパージを終了することが出来、正確で間違いのないパージが行え、極めて使用勝手が良いものである。
【００１９】
３４は給水管３に備えられ給水温度を検知する給水サーミスタ、３５は給水圧を減圧するための減圧弁である。
３６は貯湯タンク１と加熱手段２とを湯水が循環可能に接続する加熱往き管３７と加熱戻り管３８と加熱循環ポンプ３９とで構成された加熱循環回路である。
４０、４１、４２、４３、４４は貯湯タンク１外周面の上下に備えられた貯湯温度センサであり、４５は出湯管４に備えられた圧力逃がし弁である。
【００２０】
次にこの一実施形態の作動について説明する。
今契約電力の深夜時間帯では、加熱循環回路３６によって貯湯タンク１下部の低温水を加熱手段２で沸き上げて、高温水を貯湯タンク１上部に戻し、順次この循環を繰り返して午後２３時から翌朝７時迄に貯湯タンク１内全体に高温水を貯湯するようにするものである。
【００２１】
そして、この貯湯タンク１内の高温水を、給湯混合弁５で出湯管４からの高温水と第１給水バイパス管６からの給水とを混合して、給湯設定温度の温水として給湯に利用するものである。
【００２２】
次に初回の第１浴槽１８の湯張り運転について説明すれば、第１リモコン３１の湯張りスイッチ（図示せず）を押圧すると、戻り三方弁２６及び往き三方弁２７が共に第１浴槽１８を風呂循環回路１７に連通させるように切替わり、そして風呂混合弁８が駆動して風呂出湯管９からの高温水と、第２バイパス管１０からの給水とを混合して設定温度の温水を、湯張り電磁弁１３の開成で湯張り回路１１を介して、風呂循環回路１７の戻り管２１を二手に分かれ、一方は戻り三方弁２６側から第１浴槽１８に湯張りし、他方はバイパス路２８から往き管２２を通り往き三方弁２７より第１浴槽１８に湯張りされ、水位センサ２５が所定水位を検知することで湯張りは一旦停止するが、続いて風呂循環ポンプ２４を駆動して第１浴槽１８に湯張りされた湯水を風呂熱交換器２０に循環させて追い焚きをして、設定温度の湯温として湯張りを終了するものであり、この第１浴槽１８の湯張り運転を制御回路３０が直近の湯張り運転として記憶するものである。
【００２３】
又前記第１浴槽１８の湯張り運転で該第１浴槽１８の循環口（図示せず）より上に残湯がある場合には、水位センサ２５で残湯量を確認し所定量に足りない分のみを、前記の湯張りと同様に湯張り回路１１を介して、設定温度の湯水を足し湯するものであり、その後にやはり湯水を風呂循環ポンプ２４を駆動して風呂熱交換器２０に循環させて追い焚きをして、設定温度の湯温として湯張りを終了するものである。
【００２４】
次に第１浴槽１８の湯張り運転後の第２浴槽１９の湯張り運転では、図３のフローチャートに示すように運転開始前に給水によるパージが行われるもので、これについて説明すれば、第２浴槽１９の湯張りを行うので、先ず第２リモコン３２の湯張りスイッチ（図示せず）を押圧すると（ステップ４６）、ステップ４７に進んで制御回路３０に第１浴槽１８で風呂循環回路１７を使用した追い焚き、保温、湯張り運転の記憶があるかどうかを確認し、ＹＥＳではステップ４８に進み戻り三方弁２６及び往き三方弁２７を第１浴槽１８側に切替てから、ステップ４９に進んで風呂混合弁８を水側１００％とし、湯張り電磁弁１３を開成して、湯張り回路１１から風呂循環回路１７に給水をパージし、該湯張り回路１１の接続部分で二手に分かれ、一方は戻り三方弁２６から第１浴槽１８にこの間の浴槽水の残水を戻し、他方は風呂熱交換器１７及びバイパス路２８から往き管２２を通り往き三方弁２７から第１浴槽１８にこの間の浴槽水の残水を戻すものであり、そしてステップ５０で流量カウンタ１２がここでは３Ｌをカウントしたかを判断し、ＹＥＳでステップ５１に進んで給水による風呂循環回路１７のパージを終了し、風呂混合弁８及び湯張り電磁弁１３を閉成させるものである。
【００２５】
その後、戻り三方弁２６及び往き三方弁２７を第２浴槽１９側に切替て、その他は前記の第１浴槽１８の湯張り運転と同様にして第２浴槽１９の湯張り運転が行われるものであり、又この第２浴槽１９の湯張り運転を制御回路３０が直近の湯張り運転として更新記憶するものである。
【００２６】
更にステップ４７で制御回路３０に第１浴槽１８で風呂循環回路１７を使用した追い焚き、保温、湯張り運転の記憶がなく、逆に第２浴槽１９で風呂循環回路１７を使用した追い焚き、保温、湯張り運転の記憶がある場合には、ＮＯで給水によるパージを行うことなく直ぐに前記の第２浴槽１９の湯張り運転が開始されるものである。
【００２７】
次にこの第２浴槽１９の湯張り運転後の第１浴槽１８の追い焚き運転では、図４のフローチャートに示すように運転開始前に給水によるパージが行われるもので、ステップ５２で第１リモコン３１の追い焚きスイッチ（図示せず）を押圧すると、ステップ５３に進み制御回路３０に第２浴槽１９で風呂循環回路１７を使用した追い焚き、保温、湯張り運転の記憶があるかどうかを確認し、ＹＥＳではステップ５４に進み戻り三方弁２６及び往き三方弁２７を第２浴槽１９側に切替てから、ステップ４９に進んで風呂混合弁８を水側１００％とし、湯張り電磁弁１３を開成して、湯張り回路１１から風呂循環回路１７に給水をパージし、該湯張り回路１１の接続部分で二手に分かれ、一方は戻り三方弁２６から第２浴槽１９にこの間の浴槽水の残水を戻し、他方は風呂熱交換器１７及びバイパス路２８から往き管２２を通り往き三方弁２７から第２浴槽１９にこの間の浴槽水の残水を戻すものであり、そしてステップ５０で流量カウンタ１２がここでは３Ｌをカウントしたかを判断し、ＹＥＳでステップ５１に進んで給水による風呂循環回路１７のパージを終了し、風呂混合弁８及び湯張り電磁弁１３を閉成させるものである。
【００２８】
その後、戻り三方弁２６及び往き三方弁２７を第１浴槽１８側に切替て、風呂循環ポンプ２４を駆動させて第１浴槽１８内の浴槽水を風呂循環回路１７を循環させ、風呂熱交換器２０で貯湯タンク１内上部の高温水と熱交換させて加熱して第１浴槽１８に戻す循環を、順次繰り返すことで設定温度の浴槽水とし、風呂サーミスタ２３でこの温度を検知することにより、第１浴槽１８の追い焚き運転を終了させるものであり、又この第１浴槽１８の追い焚き運転を制御回路３０が直近の追い焚き運転として更新記憶するものである。
【００２９】
更にステップ５３で制御回路３０に第２浴槽１９で風呂循環回路１７を使用した追い焚き、保温、湯張り運転の記憶がなく、逆に第１浴槽１８で風呂循環回路１７を使用した追い焚き、保温、湯張り運転の記憶がある場合には、ＮＯで給水によるパージを行うことなく直ぐに前記の第１浴槽１８の追い焚き運転が開始されるものである。
【００３０】
次に制御回路３０に第１浴槽１８で風呂循環回路１７を使用した追い焚き、保温、湯張り運転の記憶がある状態で、第２浴槽１９で足し湯が行われる場合を、図５に示すフローチャートで説明すれば、ステップ５５で第２リモコン３２の足し湯スイッチ（図示せず）を押圧すれば、ステップ５６に進み制御回路３０に第１浴槽１８で風呂循環回路１７を使用した追い焚き、保温、湯張り運転の記憶があるかどうかを確認し、ＹＥＳでステップ５７に進み戻り三方弁２６の戻り管２１側を閉成し、往き三方弁２７を第１浴槽１８側に切替て、ステップ５８に進んで風呂混合弁８を水側１００％とし、湯張り電磁弁１３を開成して、湯張り回路１１から風呂循環回路１７に給水をパージし、該湯張り回路１１の接続部分では戻り管２１が閉成されているので、反対側の戻り管２１からバイパス三方弁２９がバイパス路２８側全開となっており、バイパス路２８を通り往き三方弁２７から第１浴槽１８へ、給水に押されて足し湯経路の第１浴槽１８の残湯が戻され、そしてステップ５９で流量カウンタ１２がここでは１Ｌをカウントしたかを判断し、ＹＥＳでステップ６０に進んで給水による足し湯経路のパージを終了し、風呂混合弁８及び湯張り電磁弁１３を閉成させるものである。
【００３１】
その後、往き三方弁２７のみを第２浴槽１９側に切替て、風呂混合弁８で貯湯タンク１内の高温水と第２給水バイパス管１０からの給水とを混合して設定温度の給湯として、給水でパージされた足し湯経路を介して所定量の足し湯が行われるものであり、この足し湯運転は浴槽水が風呂循環回路１７を循環するものでないので、制御回路３０の記憶の更新は行なわず、第１浴槽１８で風呂循環回路１７を使用した追い焚き、保温、湯張り運転の記憶のままとするものである。
【００３２】
更にステップ５６で制御回路３０に第１浴槽１８で風呂循環回路１７を使用した追い焚き、保温、湯張り運転の記憶がなく、逆に第２浴槽１９で風呂循環回路１７を使用した追い焚き、保温、湯張り運転の記憶がある場合には、ＮＯで給水によるパージを行うことなく直ぐに前記の第２浴槽１９の足し湯運転が開始されるものである。
【００３３】
次に制御回路３０に第２浴槽１９で風呂循環回路１７を使用した追い焚き、保温、湯張り運転の記憶がある状態で、第１浴槽１８で足し水が行われる場合を、図６に示すフローチャートで説明すれば、ステップ６１で第１リモコン３１の足し水スイッチ（図示せず）を押圧すれば、ステップ６２に進み制御回路３０に第２浴槽１９で風呂循環回路１７を使用した追い焚き、保温、湯張り運転の記憶があるかどうかを確認し、ＹＥＳでステップ６３に進み戻り三方弁２６の戻り管２１側を閉成し、往き三方弁２７を第２浴槽１９側に切替て、ステップ６４に進んで風呂混合弁８を水側１００％とし、湯張り電磁弁１３を開成して、湯張り回路１１から風呂循環回路１７に給水をパージし、該湯張り回路１１の接続部分では戻り管２１が閉成されているので、反対側の戻り管２１からバイパス三方弁２９がバイパス路２８側全開となっており、バイパス路２８を通り往き三方弁２７から第２浴槽１９へ、給水に押されて足し水経路の第２浴槽１９の残湯が戻され、そしてステップ６５で流量カウンタ１２がここでは１Ｌをカウントしたかを判断し、ＹＥＳでステップ６６に進んで給水による足し水経路のパージを終了し、風呂混合弁８及び湯張り電磁弁１３を閉成させるものである。
【００３４】
その後、往き三方弁２７のみを第１浴槽１８側に切替て、風呂混合弁８は水側１００％のままで、第２給水バイパス管１０からの給水を、給水でパージされた足し湯経路を介して所定量の足し水が行われるものであり、この足し水運転は足し湯と同じく浴槽水が風呂循環回路１７を循環するものでないので、制御回路３０の記憶の更新は行なわず、第２浴槽１９で風呂循環回路１７を使用した追い焚き、保温、湯張り運転の記憶のままとするものである。
【００３５】
更にステップ６２で制御回路３０に第２浴槽１９で風呂循環回路１７を使用した追い焚き、保温、湯張り運転の記憶がなく、逆に第１浴槽１８で風呂循環回路１７を使用した追い焚き、保温、湯張り運転の記憶がある場合には、ＮＯで給水によるパージを行うことなく直ぐに前記の第１浴槽１８への足し水運転が開始されるものである。
【００３６】
以上の作動の説明は、第１浴槽１８を第２浴槽１９に、或いは第２浴槽１９を第１浴槽１８に入れ替えるだけで、そのまま他方の浴槽での使用でも言えるものである。
【００３７】
このように１つの風呂循環回路１７を２つの浴槽で兼用して使用する場合でも、一方の浴槽で風呂循環回路１７を使用した追い焚き、保温、湯張り運転を行った後、他方の浴槽でも風呂循環回路１７を使用した追い焚き、保温、湯張り運転を行う前に、給水によるパージをすることにより、一方の運転で風呂循環回路１７に残った残湯が他方の浴槽に混入することを確実に阻止することが出来、一方の浴槽で使用している入浴剤入りの浴槽水や、数日間浴槽水を入れ替えしない浴槽水が、他方の浴槽水に混入すると言う問題点が解決され、常に安心して使用出来るようにしたものである。
【００３８】
又一方の浴槽で風呂循環回路１７を使用した追い焚き、保温、湯張り運転を行った後、他方の浴槽で風呂循環回路１７の一部を使用する足し湯、足し水運転を行う時は、足し湯で使用する足し湯経路及び足し水で使用する足し水経路のみ給水でパージするようにしたので、パージのための給水量が少なくて済むと共にパージ時間も短縮され、本来の足し湯や足し水運転が待つ時間なく、良好に行われるものであり、勿論、他の浴槽水の混入も確実に阻止することが出来るものである。
【００３９】
更にこの一実施形態では、給水によるパージのみ説明したが、風呂混合弁８を給水側１００％ではなく、高温水と給水とを混合する位置にして、湯張りや追い焚き等の運転予定の設定湯温に調節して温水でパージするようにしても同様な効果が得られるものであり、しかも、パージする温水温度が次に運転される設定温度になっていれば、運転開始から設定温度の温水が得られ、極めて使用勝手が良く良好な運転が得られるものである。
【符号の説明】
【００４０】
１１  湯張り回路
１７  風呂循環回路
１８  第１浴槽
１９  第２浴槽
３０  制御回路
【図１】
2010286170.tif 000003
【図２】
2010286170.tif 000004
【図３】
2010286170.tif 000005
【図４】
2010286170.tif 000006
【図５】
2010286170.tif 000007
【図６】
2010286170.tif 000008